(57)【要約】【課題】屋上や陸屋根のドレーン等の各部位毎に、部分的な水張り試験を実施することができるドレーン水密検査装置を提供する。【解決手段】ドレーン水密検査装置Ｓは、ドレーンの流路内で膨張される膨張体１０と、膨張体１０に連結された管体２０と、管体２０と連結され膨張体１０に流体を送る流体注入装置４０と、ドレーンの周囲を密着面を介して囲む止水装置５０とを備え、ドレーンの周囲と止水装置５０との間に水を溜め、膨張体１０と止水装置５０との間を水密可能とした。【選択図】図１
2008063915.tif 000002
【特許請求の範囲】
【請求項１】
ドレーンの流路内で膨張される膨張体と、該膨張体に連結された管体と、該管体と連結され前記膨張体に流体を送る流体注入装置と、前記ドレーンの周囲を密着面を介して囲む止水装置と、を備え、
前記膨張体と、前記止水装置との間を水密可能とすることを特徴とするドレーン水密検査装置。
【請求項２】
前記管体には、流路切替弁が設けられていることを特徴とする請求項１記載のドレーン水密検査装置。
【請求項３】
前記止水装置は開口側面を有し、側面の開口縁部には、密着面として密着性物質が配設されていることを特徴とする請求項１記載のドレーン水密検査装置。
【請求項４】
前記止水装置は前記ドレーン側に位置する端面に密着面として密着性物質が配設された中空筒状体からなることを特徴とする請求項１記載のドレーン水密検査装置。
【請求項５】
前記流体注入装置は、流体排出機能を有し、前記膨張体が膨縮可能に構成されていることを特徴とする請求項１記載のドレーン水密検査装置。
【請求項６】
ドレーン水密検査方法であって、ドレーンの排水入口から管体と連結された萎んだ状態のバルーンを排水管に挿入する挿入工程と、
流体注入装置から管体を介して流体を注入して、排水管内でバルーンを膨張させ密閉させる膨張工程と、
止水装置をドレーンの周囲に配置して、止水装置によりドレーン周囲を水密にする水密工程と、
前記バルーンと止水装置との間に適量の水を溜め込む水溜め工程と、
水漏れの有無を確認する確認工程と、を備えたことを特徴とするドレーン水密検査方法。
【請求項７】
前記水密工程には、前記止水装置に圧力をかけて、前記ドレーン周囲の壁面又は床面に止水装置を密着させる工程を含むことを特徴とする請求項６記載のドレーン水密検査方法。
【請求項８】
前記水溜め工程によって溜め込まれた水を排除する排除工程を行うことを特徴とする請求項６記載のドレーン水密検査方法。
【発明の詳細な説明】
【技術分野】
【０００１】
本発明は、ドレーン水密検査装置及びドレーン水密検査方法に係り、特に、建造物の屋上や陸屋根等に設けられたドレーン周囲の漏水を検査可能なドレーン水密検査装置及びドレーン水密検査方法に関する。
【背景技術】
【０００２】
建造物の屋上や陸屋根は平坦で雨水が溜まりやすいため、防水性のある合成樹脂等のシートで被覆する加工が一般に行われている。また、溜まった雨水を、側溝を通して収集し、排水するためのドレーンが設けられている。
【０００３】
この防水施工の検査は、一般に、防水施工完成時に防水シートの損傷、破断、はがれ、ピンホールの有無等を、外観を目視することにより実施されている。目視で発見できない損傷に関しては、特記がある場合（建築工事標準仕様書・同解説  ＪＡＳＳ８  防水工事において、例えば大きな建物の場合は水張り試験は特記扱いとなっている）のみ、防水施工後に施工面を水で被覆する、いわゆる水張り試験を行って防水性能を検査している（例えば、非特許文献１参照）。
【０００４】
このような水張り試験は、防水性能を確認する手段として現実的であり有効である。しかし、水張り試験を実施するためには、ドレーン部をふさぎ、一定量の水を陸屋根に溜め、数日間その水を溜めた状態で放置しておく必要がある。また、試験完了時には、陸屋根に溜めた水を排水し、排水後に陸屋根を清掃する必要がある。これらの検査作業は、水を溜めるだけで時間が掛かり、かなりの手間と時間を要する大掛かりな作業である。そして、ある程度各種工事が終了した段階で、水張り試験は行われることになる。
【０００５】
さらに、溜置きした水を短時間で排出することが出来ないため、不幸にして試験の際に漏水が確認された場合には、一気に水を排水する必要があるが、これも困難であり、建物内部へ水が浸入してしまうという不都合もある。
【０００６】
上述のような水張り試験を行わない技術として、屋上や陸屋根の防水シートの漏水を検知するため、屋上や陸屋根の下地面と防水層の間に導電線を配置して、導電線と水との接触による通電を検知することによる漏水検知技術が提案されている（例えば、特許文献１，２参照）。
【０００７】
【非特許文献１】社団法人日本建築学会著、「建築工事標準仕様書・同解説  ＪＡＳＳ８  防水工事」、第５版、社団法人日本建築学会、２０００年７月１日、Ｐ．４１６−４１８
【特許文献１】特開平１０−１７０３８３号公報（段落０００４、図１）
【特許文献２】特開２００２−５５０１５号公報（図６）
【発明の開示】
【発明が解決しようとする課題】
【０００８】
しかしながら、特許文献１では、下地層と防水シートの間に導電層を形成する必要があり、施工に手間を要するという問題があった。
【０００９】
また、特許文献２では、防水シートの漏水が生じ易い部位の裏面に漏水検知センサを配設する必要があり、同様に施工に手間を要するという問題があった。
【００１０】
本発明者は、過去の多数の防水施工の漏水事例を調査検討した結果、目視で明らかに確認出来る防水シートの破損等の不具合を除き、ドレーン周りや、防水層の末端部（たち上がり部）に多く漏水が発生していることの知見を得て、本発明をするに至った。
【００１１】
本発明の目的は、屋上や陸屋根の全面を多量の水で被覆する必要がなく、最小限の水でドレーン等の各部位毎に部分的な水張り試験を実施することができるドレーン水密検査装置を提供することにある。
また、本発明の他の目的は、一人で短時間かつ効率よく水張り試験を行えるドレーン水密検査装置を提供することにある。
さらにまた、本発明の他の目的は、水張り試験時に漏水が検知された場合でも、短時間で水を回収或いは排出することができ、建物内部への浸水を最小限に抑えることができるドレーン水密検査装置を提供することにある。
【課題を解決するための手段】
【００１２】
前記課題は、請求項１に係るドレーン水密検査装置によれば、ドレーンの流路内で膨張される膨張体と、該膨張体に連結された管体と、該管体と連結され前記膨張体に流体を送る流体注入装置と、前記ドレーンの周囲を密着面を介して囲む止水装置と、を備え、前記膨張体と、前記止水装置との間を水密可能とすること、により解決される。
【００１３】
このとき、前記管体には、流路切替弁が設けられていると好適である。このような流路切替弁によって、膨張体への流体の注入と、膨張体からの流体の排出を１つの管体で行うことが可能となる。
【００１４】
このとき、前記止水装置は開口側面を有し、側面の開口縁部には、密着面として密着性物質が配設されているように構成すると好適である。このような密着性物質が設けられているため、止水装置とドレーン周囲との間を水密にすることが確実にできる。
また、前記止水装置としては、前記ドレーン側に位置する端面に密着面として密着性物質が配設された中空筒状体からなるものを用いることができる。このような止水装置によれば、たて引きドレーンについても水密検査を行うことが可能となる。
また、前記流体注入装置は、流体排出機能を有し、前記膨張体が膨縮可能に構成すると好適である。このような流体注入装置及び膨脹体によれば、水密検査終了後、流体注入装置により膨脹体から流体を排出し、膨脹体を収縮させて速やかにドレーンから取り除くことが可能となる。
【００１５】
前記課題は、請求項６のドレーン水密検査方法によれば、ドレーン水密検査方法であって、ドレーンの排水入口から管体と連結された萎んだ状態のバルーンを排水管に挿入する挿入工程と、流体注入装置から管体を介して流体を注入して、排水管内でバルーンを膨張させ密閉させる膨張工程と、止水装置をドレーンの周囲に配置して、止水装置によりドレーン周囲を水密にする水密工程と、前記バルーンと止水装置との間に適量の水を溜め込む水溜め工程と、水漏れの有無を確認する確認工程と、を備えたこと、により解決される。
このとき、前記水密工程には、前記止水装置に圧力をかけて、前記ドレーン周囲の壁面又は床面に前記止水装置を密着させる工程を含むようにすると好適である。
また、前記水溜め工程によって溜め込まれた水は、この後にこの水を排除する排除工程によって排除されるものである。なお、水はそのままドレーンから排出して排除することもできるし、回収して排除することもできる。回収して排除した場合は回収した水を他のドレーン水密検査に再利用することが可能である。
また、前記膨張工程は前記水密工程の後で行うこともできる。
【発明の効果】
【００１６】
本発明のドレーン水密検査装置及びドレーン水密検査方法によれば、ドレーンの流路内で膨張される膨張体と、ドレーンの周囲を囲む止水装置の間に水を溜め、水密状態にすることができるので、水漏れの発生し易い部位のみの水張りが可能となり、屋上や陸屋根の全面を多量の水で被覆する必要がなく、最小限の水で且つ短時間でドレーン等の各部位毎に水張り試験を実施することが可能となる。
【００１７】
また、本発明のドレーン水密検査装置及びドレーン水密検査方法は、ドレーンの流路内で膨張される膨張体、該膨張体に連結された管体、該管体と連結され前記膨張体に流体を送る流体注入装置、前記ドレーンの周囲を密着面を介して囲む止水装置というきわめて簡単な構成からなるので、人手による持ち運びが容易で、従来の水張り試験と比較して、多数の人員を要することなく、一人でも短時間かつ効率よく水張り試験を行うことが可能となる。
【００１８】
さらに、本発明のドレーン水密検査装置及びドレーン水密検査方法によれば、ドレーンの流路内で膨張される膨張体と、ドレーンの周囲を囲む止水装置との間に水を溜めることにより、水張り試験に使用する水の量を最小限に抑えることができるため、水張り試験時に万一漏水が検知された場合でも、短時間で水を排出或いは回収することが可能となり、建物内部への浸水を最小限に抑えることが可能となる。
【発明を実施するための最良の形態】
【００１９】
以下、本発明の一実施形態を図面に基づいて説明する。なお、以下に説明する部材，配置等は本発明を限定するものでなく、本発明の趣旨の範囲内で種々改変することができるものである。
図１乃至図１２は本発明の一実施形態を示すものであり、図１はドレーン水密検査装置の全体構成図、図２は膨張体の斜視図、図３及び図４は流路切替弁の斜視図、図５は止水装置の斜視図、図６はストレーナーを外した状態のドレーンの斜視図、図７はドレーンに膨張体を挿入する状態を示す説明図、図８はドレーンに挿入した膨張体を膨張させた状態を示す説明図、図９は止水装置によりドレーンの周囲を囲んだ状態を示す説明図、図１０は膨張体と止水装置の間を水密にした状態を示す説明図、図１１はドレーン水密検査装置の水密状態の断面図、図１２はドレーン水密検査方法の工程図である。
【００２０】
防水屋根の一例として、図６及び図１１で示すようなよこ引きドレーンの構造が知られている。図１１で示す例では、屋上床面は、コンクリート層Ｋの上に断熱層Ｄ、絶縁層Ｚを順次積層し、上面を防水シートＢで被覆している。そして、排水口に、図６及び図１１で示すようなよこ引きドレーン６０を配設している。縦壁側は、屋上の上部側のパラペットＰと外壁Ｇを備えており、パラペットＰと外壁Ｇとの所定位置によこ引きドレーン６０が形成される。なお、図１１において、符号７１は排水管６２を固定する詰め物、符号７２はパッキン、符号７３はシールである。
【００２１】
本実施形態のよこ引きドレーン６０は、図６で示すように、ドレーン本体６１、排水管６２及びこの排水管６２の排水入口６３、シート押え部６４を有している。
このよこ引きドレーン６０は、ドレーン本体６１が水平部６１ａと、垂直部６１ｂとにより断面略Ｌ形に形成されてドレーン受皿部を形成しており、このドレーン受皿部の垂直部６１ｂから後方に排水管６２が連成されている。この排水管６２にＬ字状の排水パイプ６５が接続されている。この排水管６２と排水パイプ６５とは、雄雌のねじ部が形成されており、これらを螺着することにより接続している。
【００２２】
このよこ引きドレーン６０を固定した後で、防水シートＢを配設し、不図示の防水層押え盤等とシート押え部６４とによって防水シートＢを挟持し、よこ引きドレーン６０を取り付けるものである。なお、上記ドレーンの取り付けは一例であり、各種の公知の施工例が存在する。
【００２３】
本発明に係るドレーン水密検査装置Ｓは、図１に示すように、膨張体としてのバルーン１０と、このバルーン１０に連結された管体としてのチューブ２０と、このチューブ２０と連結され流体の流路を切り替える流路切替弁としてのバルブ３０と、このチューブ２０を通して流体をバルーン１０に送る流体注入装置としてのポンプ４０と、止水装置としての止水箱５０を主たる構成要素としている。
【００２４】
本実施形態のバルーン１０は、流体の注入によって膨張可能なゴムなどの樹脂から構成されており、一端に開口（不図示）が形成されたもので、図２に示すように、開口とチューブ２０とを連結部１１によって連結されており、流体としての空気等の気体を、チューブ２０を通して注入することにより膨張するようになっている。なお、本実施形態では流体として空気等の気体を用いているが、水等の液体であってもよい。またバルーン１０の材質は、膨張可能で膨張後にドレーン等と接触してドレーンを密閉できるものであれば、樹脂に限定されるものではない。
【００２５】
本実施形態のチューブ２０は、軟質・半硬質塩化ビニル樹脂などの防水性合成樹脂からなるフレキシブルホースや硬質の防水性合成樹脂で蛇腹状にしてフレキシブルにした管体などで形成されており、上記バルーン１０と後述するバルブ３０を連結するチューブ２１と、バルブ３０と後述するポンプ４０とを連結するチューブ２２から構成される。本実施形態のチューブ２０を軟質合成樹脂のフレキシブルホースとした場合は、バルーン１０をドレーンに挿入しやすくするためある程度の硬さを有することが好ましい。
【００２６】
またチューブ２１の外周には、バルーン１０の膨出した中央を基点として、物差しとなる目盛を所定間隔で付加しておくと、バルーン１０の挿入長さを知ることが可能となる。このようにバルーン１０の挿入長さを確認することで、バルーン１０の挿入位置を確認することができると共に、漏れを検知した場合に、どの位置にバルーン１０があるときに漏れがあったかを正確に知ることができ、水漏れ箇所の特定が容易となる。なお、この物差しとなる目盛は、チューブ２１とバルーン１０との接続部を基点とすることもできる。また目盛には同一目盛だけでなく、所定距離ごとに目安なる記号・色などを付したり、記号等を蛍光塗料・蛍光シール等によって形成すると、作業中における確認が、より容易となる。
【００２７】
また、チューブ２０は、本実施形態のようにバルブ３０を介して２つのチューブ２１、チューブ２２で構成されるものに限らず、１本のチューブでもよい。この場合、バルブ３０が形成されたポンプ４０（或いはポンプ４０に直接バルブ３０を取り付ける）をチューブ２０の一端に取り付け、バルーン１０とポンプ４０を１本のチューブ２０で連結するようにする。
【００２８】
本実施形態のバルブ３０は、チューブ２０を流れる空気等の流体の流れる方向を切り替えるための切替弁であり、図３に示すように、チューブ２１との連結部である開口３１、チューブ２２との連結部である開口３２、流体を外部へ放出する開口３３の三つの開口部を有しており、開口３２を開閉する開閉栓３４、開口３３を開閉する開閉栓３５から構成される。
【００２９】
ここで、先ず、図３により、バルーン１０へ空気を導入する場合のバルブ３０の状態を説明する。図３に示すように、開口３３を開閉する開閉栓３５を回動させて、開口３３を閉塞する。次に開閉栓３４を回動させて、開口３２を開口させる。これにより、チューブ２２から流入する空気が開口３２からバルブ３０に流れ込む。これにより、バルブ３０に流入した空気は開口３１からチューブ２１へ流出し、チューブ２１を通ってバルーン１０まで導入される。
【００３０】
次に、図４により、バルーン１０から空気を排出させる場合のバルブ３０の状態を説明する。図４に示すように、開閉栓３４を回動させて、開口３２を閉塞する。そして、開閉栓３５を回動させて開口３３を開放する。これによりバルーン１０に充填されていた空気等の気体は、バルーン１０の弾力により、バルーン１０からチューブ２１を通って開口３１からバルブ３０に流れ込み、開口３３から排出される。
【００３１】
以上のように、バルブ３０に備えた開閉栓３４及び開閉栓３５を開閉作動することにより、バルーン１０への空気の導入、及びバルーン１０からの空気の排出を可能としている。なおバルブとしては、流体の注入・放出を調整できるものであれば、本実施形態のようなバルブに限定されるものではない。特に、流体の流入量を調整できるバルブを用いると、バルーン１０への流体の流入量すなわち膨張度を調整できるため、ポンプ４０の流量調整と共に微調整が可能となり好適である。
【００３２】
本実施形態のポンプ４０は空気をチューブ２０及びバルーン１０へ送り出すための装置であり、本実施形態では人手による手持ち移動が可能にしており、例えば、自転車のフロアポンプなどを用いて、フロアポンプのチューブとチューブ２０を接続して空気をチューブ２０及びバルーン１０へ送り出すよう構成している。ポンプ４０は本実施形態に限らず、小型モーターで作動しチューブ２０に空気を送り出すような公知のモーターポンプ装置などでも良く、また、空気に限らず他の気体や水等の液体を送り出すものでも良い。
【００３３】
さらに、ポンプ４０はバルブ３０の流体の流路切替部をポンプ４０自体に備えたものであっても良い。この場合、チューブ２０は、バルブ３０を介して２つのチューブ２１及びチューブ２２で構成される形態をとらず、チューブ２０のみを用いてバルーン１０とポンプ４０を直接連結する構成とすることができる。
またポンプ４０は、流体排出機能を有するように構成することができる。この流体排出機能を有する流体注入装置として、可逆性のモータポンプを用いることが可能である。このような構成にすると、膨張体であるバルーン１０を膨縮可能にすることができる。膨張体であるバルーン１０に流体を注入して膨らませ、止水している状態で水漏れ等を検出したときには、バルーン１０から流体を強制的に排出して縮ませることにより、止水を解除して、ドレーンから速やかに水を排出することが可能となる。
また流体として水等の液体を用いると、ある程度バルーン１０を膨出させた状態で、ドレーン内に入れることが可能となり、バルーン１０が適度の重さを持つことになり、ドレーン内への挿入を行うことが容易になる場合もある。
【００３４】
図５は、本実施形態に係るよこ引きドレーン水密検査用の止水箱５０である。本実施形態の止水箱５０は矩形状をしており、三つの側面５１ａ，５１ｂ，５１ｃを有した外周部５１と開口側面と、底端面部５２、上面部５３から構成されている。外周部５１の端面（すなわち側面の開口縁部）及び底端面部５２（すなわちドレーン側に位置する端面）にはゴムなどの水密性物質からなる密着面としての接触部５４（いわゆる止水用のパッキン）が形成されている。この接触部５４は、パラペット等の壁面及び屋上や陸屋根の表面と密着させるものであり、この密着によって、止水箱５０と壁面及び屋上や陸屋根の表面との間で水密状態を形成する。この止水箱５０には、物差しの目盛が形成されており、水を入れたときの深さが判るようになっている。
【００３５】
また、止水箱５０の上面部５３は、止水箱５０で水密状態を形成するときに、作業員等が足等で止水箱５０を押さえ込むために利用できるように形成したものであり、この上面部５３には開口部５５が形成されている。この開口部５５から、ドレーン内へのバルーン１０やチューブ２１の挿脱が容易に行えるように構成されている。
【００３６】
本実施形態に係るドレーン水密検査装置Ｓは、図６に示すよこ引きドレーン６０用の水密検査装置であり、前述のように、よこ引きドレーン６０は、ドレーン本体６１（６１ａ、６１ｂ）、排水管６２及び排水管６２の排水入口６３、シート押え部６４を有している。なお、よこ引きドレーン６０は、通常の状態では、塵等がドレーン本体６１に侵入するのを防止するための図示しないストレーナーを備えているが、ドレーン水密検査時は、図６に示すようにストレーナーを取り外して検査を行うものである。
【００３７】
次に、本実施形態に係るドレーン水密検査装置を用いた水密検査の手順を図１２の工程図及び図７乃至図１１を参照にして説明する。
本実施形態のドレーン水密検査方法は、バルーン１０の挿入工程Ｓ１、バルーン１０の膨張工程Ｓ２、水密工程Ｓ３、水溜め工程Ｓ４、漏水の確認工程Ｓ５、水の排除工程Ｓ６、バルーンの萎縮工程Ｓ７を主要な工程としている。
【００３８】
本実施形態のバルーン１０の挿入工程Ｓ１は、ドレーンの排水入口から排水管に萎んだ状態の管体と連結されたバルーンを挿入するものであり、図７に示すように、よこ引きドレーン６０の排水入口６３から排水管６２に萎んだ状態のバルーン１０を挿入する。一般に、水が漏る箇所というのは防水シートＢのシートを挟んでいる部分を含めて、材質が異なるもの（鋳鋼、アルミのダイキャスト、ステンレス）やパイプなど接合部等の部位が多い。このときチューブ２１はある程度の硬度を備えているため、このチューブ２１によって、挿入位置については、水密を確認したい位置まで挿入する。なお、ある程度バルーン１０内に液体を注入した状態にしてから挿入すると、バルーン１０に適度の重みがあるために、挿入しやすくなる場合もある。
【００３９】
例えば、図８のように、排水入口６３付近の防水シートのドレーン本体６１の周囲の水密検査を行いたい場合には、排水入口６３にバルーン１０を配置する。そして、次のバルーンの膨張工程Ｓ２を行う。
【００４０】
本実施形態のバルーンの膨張工程Ｓ２は、流体注入装置としてのポンプからチューブを介して流体を注入して、排水管内でバルーンを膨張させ密閉させるものであり、図８及び図１１に示すように、ポンプ４０から空気を注入して、排水管６２がバルーン１０で密閉されるまでバルーン１０を膨張させる。このとき、ポンプ４０やバルブ３０を調整することにより空気の流入量を調整して、バルーン１０を膨らませ、バルーン１０が完全に膨らんで排水管６２の内壁に密着させるようにする。
【００４１】
本実施形態の水密工程Ｓ３は、止水装置（本実施形態では止水箱５０）をドレーンの周囲に配置して、止水装置によりドレーン周囲を水密にするものである。つまり、止水箱５０をよこ引きドレーン６０の周囲に配置して、よこ引きドレーン６０の周囲を囲み、止水箱５０の外周部５１の端面（すなわち側面の開口縁部）及び底端面部５２（すなわちドレーン側に位置する端面）とドレーン周囲の壁面又は床面との間で、水密にする。このとき、確実に壁面又は床面に密着して水密にできるように、止水箱５０の上部から押さえて圧力をかけ、側面及び底面の接触部５４によって確実に密着するようにしている。図９は、バルーン１０を挿入したよこ引きドレーン６０の周囲を止水箱５０で囲んだ状態を示している。この状態で止水箱５０の上部（角部）から圧力を掛ける。圧力は機械・器具等によって圧力を掛けることもできるが、作業者が足などで押さえて圧力をかけて、水密にすることもできる。このように作業者による押さえ圧力で水密にすることができるので、機械・器具等を用いないでも作業を行うことが可能である。
【００４２】
本実施形態の水溜め工程Ｓ４は、前記バルーン１０と止水箱５０との間に適量の水を溜め込むものであり、止水箱５０の内部に、ホース等で外部から水を注入し、適度な量の水を溜め込む。例えば、ＪＡＳＳ８に規定されている水張り試験における水の深さは、１０ｃｍ、８ｃｍ、３ｃｍ等の規定があるので、必要な深さになるまで水を溜める。このとき、物差しの目盛で深さを確認しながら水を入れていく。例えば１０分間その状態にして、漏るか漏らないか確認する。このようにして止水箱５０内に水を溜めた状態を、図１０に示す。また、図１１は、水を溜めた状態のドレーン水密検査装置の断面図である。
【００４３】
この図１１で示すように、排水管６２と排水パイプ６５との接続部分の水漏れを検査するときには、図１１の鎖線で示すように、バルーン１０を排水管６２と排水パイプ６５の接続部分よりも排出側まで挿入して膨らませるようにする。このとき目盛が付されていると目盛を確認しながら挿入位置を確認して作業することが可能となる。
以上のように、図１１の実線で示されたバルーン１０の位置では、ドレーン本体６１とシート防水の取合を確認することができる。また、鎖線で示されたバルーン１０の位置では、ドレーン本体６１とシート防水の取合だけでなく、バルーン１０の配置された範囲と排水パイプ６５に至る経路も含め確認できる。このときも目盛が付されている場合には目盛を確認しながら挿入することが可能となり、正確な作業を行うことが可能となる。
このように、チューブ２１に形成された目盛などを参照することにより、バルーン１０の挿入長さを確認して、バルーン１０の膨張させる位置を異ならしめることにより、ドレーンの水漏れの位置を正確に確認することが可能となる。
【００４４】
本実施形態の確認工程Ｓ５は水漏れの有無を確認するもので、上記水溜め工程Ｓ４を行った状態で、その後、例えば１０分以上の適度な時間その状態を保ち、建造物の中又は外から漏水の有無を目視で確認することが可能となる。
【００４５】
本実施形態の排除工程Ｓ６は、水溜め工程Ｓ４によって溜め込まれた水を排除するものである。この排除された水は、不図示の小型ポンプにより回収し、回収した水を次の試験で再利用する。本実施形態では、不幸にしてここから漏水したというときに、はやい段階で水を他の容器に戻す必要があるが、水の量が少なくて済むため、すぐに水を抜く（排出する）ことが可能であり、仮に漏っても最小限の被害で抑えることができるものである。
特に膨張体であるバルーン１０を膨縮可能に構成すると、漏水があったときには、バルーン１０を縮ませることにより、止水を解除して、いち早くドレーンから水を排出することが可能となり、上記のように回収することなく排除することができる。
【００４６】
バルーンの萎縮工程Ｓ７ではバルーン１０からの流体（本例では空気）抜きを行うものである。すなわち、検査が終了し、排除工程Ｓ６によって水を回収した場合、或いはそのまま水をドレーンから排出しても問題ない場合などに、バルーン１０を萎縮させることにより、水密を開放するものである。萎縮工程Ｓ７では、開閉栓３４を回動させて、開口３２を閉塞する。そして、開閉栓３５を回動させて開口３３を開放する。これによりバルーン１０に充填されていた空気等の気体は、バルーン１０の弾力により、バルーン１０からチューブ２１を通って開口３１からバルブ３０に流れ込み、開口３３から排出される。そしてバルーン１０が萎んだ状態でよこ引きドレーン６０から引き出す。
【００４７】
なお上記膨張工程Ｓ２は水密工程Ｓ３の後で行うこともできるものであり、要するに膨張工程Ｓ２と水密工程Ｓ３の工程順番は、どちらを先にしても良い。
【００４８】
図１３乃至図１５は、他の実施形態に係るもので、図１３はドレーンを配設した説明図、図１４は止水装置の斜視図、図１５はドレーン水密検査装置の水密状態の断面図である。なお、図１３乃至図１５で示す実施形態において、前記した実施形態と同様部材・同様配置等には、同一符号を付してその説明を省略する。
【００４９】
本実施形態では、たて引きドレーンの例を示すものであり、図１５で示すように、たて引きドレーン９０の場合には、ドレーン本体が、円形のドレーン受皿９２と、このドレーン受皿９２の中央に開口された排水口を囲繞するようにして下方に連成された排水管部とを備えている。
ドレーン受皿９２の上面には、デッキプレート上に敷設される防水シートＢの縁部を挟持する防水シート押え盤９３が、不図示のボルトナットなどによって固定されており、この防水シート押え盤９３上に多数の狭幅状通水間隙を備えた図１３で示すストレーナー９４が配設されている。また、排水管６２と排水パイプ６５とは、雄雌のねじ部が形成されており、これらを螺着することにより接続している。
【００５０】
図１４はたて引きドレーン９０に用いられる止水装置としての止水筒８０を示すものであり、本実施形態の止水筒８０は、中空円錐形状の上部側を切り欠いた、側面８１を有する形状をしており、幅広の端面（すなわちドレーン側に位置する端面）には、水密性物質からなる接触部８４（いわゆる止水用のパッキン）が形成されている。この止水筒８０を上方から押さえて、バルーン１０との間で水密状態とする。そして検査を行うが、検査方法等に関しては、前述した実施形態と同様に行うものであるため、その余の説明は省略する。
なお、本実施形態では、止水装置として止水筒を用いたが、同様機能があれば、中空筒ではなく中空箱などの断面矩形や、他の形状のものでも良い。
【図面の簡単な説明】
【００５１】
【図１】本発明の一実施形態に係るドレーン水密検査装置の全体構成図である。
【図２】本発明の一実施形態に係る膨張体の斜視図である。
【図３】本発明の一実施形態に係る流路切替弁の斜視図である。
【図４】本発明の一実施形態に係る流路切替弁の斜視図である。
【図５】本発明の一実施形態に係る止水装置の斜視図である。
【図６】本発明の一実施形態に係るストレーナーを外した状態のドレーンの斜視図である。
【図７】本発明の一実施形態に係るドレーンに膨張体を挿入する状態を示す説明図である。
【図８】本発明の一実施形態に係るドレーンに挿入した膨張体を膨張させた状態を示す説明図である。
【図９】本発明の一実施形態に係る止水装置によりドレーンの周囲を囲んだ状態を示す説明図である。
【図１０】本発明の一実施形態に係る膨張体と止水装置の間を水密にした状態を示す説明図である。
【図１１】本発明の一実施形態に係るドレーン水密検査装置の水密状態の断面図である。
【図１２】本発明に係るドレーン水密検査方法の工程図である。
【図１３】本発明の他の実施形態に係るドレーンを配設した説明図である。
【図１４】本発明の他の実施形態に係る止水装置の斜視図である。
【図１５】本発明の他の実施形態に係るドレーン水密検査装置の水密状態の断面図である。
【符号の説明】
【００５２】
１０  膨張体（バルーン）
１１  連結部
２０，２１，２２  管体（チューブ）
３０  流路切替弁（バルブ）
３１，３２，３３  開口
３４，３５  開閉栓
４０  流体注入装置（ポンプ）
５０  止水装置（止水箱）
５１  外周部
５１ａ，５１ｂ，５１ｃ  側面
５２  底端面部
５３  上面部
５４  接触部
５５  開口部
６０  よこ引きドレーン
６１  ドレーン本体
６１ａ  水平部
６１ｂ  垂直部
６２  排水管
６３  排水入口
６４  シート押え部
６５  排水パイプ
７１  詰め物
７２  パッキン
７３  シール
８０  止水装置（止水筒）
８１  側面
８４  接触部
９０  たて引きドレーン
９２  ドレーン受皿
９３  防水シート押え盤
９４  ストレーナー
Ｓ  ドレーン水密検査装置
Ｂ  防水シート
Ｄ  断熱層
Ｇ  外壁
Ｋ  コンクリート層
Ｐ  パラペット
Ｚ  絶縁層
【図１】
2008063915.tif 000003
【図２】
2008063915.tif 000004
【図３】
2008063915.tif 000005
【図４】
2008063915.tif 000006
【図５】
2008063915.tif 000007
【図６】
2008063915.tif 000008
【図７】
2008063915.tif 000009
【図８】
2008063915.tif 000010
【図９】
2008063915.tif 000011
【図１０】
2008063915.tif 000012
【図１１】
2008063915.tif 000013
【図１２】
2008063915.tif 000014
【図１３】
2008063915.tif 000015
【図１４】
2008063915.tif 000016
【図１５】
2008063915.tif 000017